(57)【要約】【課題】  湾曲部を有する熱交換器に対しても有効な除霜装置を提供する。【解決手段】  平面部２６ａ，２６ｂと湾曲部２６ｃとを有するクロスフィンコイルタイプの熱交換器２６に付着する霜を機械的に除去する熱交換器の除霜装置において、前記熱交換器２６における熱交換性能の高い部分に対応して配置され、前記熱交換器２６を構成するフィン１，１・・の間に差し込まれて該フィン１，１・・間の霜を掻き落とすブラシ３と、該ブラシ３を前記フィン１，１・・間の隙間に沿って移動させる移動手段４とによって構成して、平面部２６ａと湾曲部２６ｃとを有するクロスフィンコイルタイプの熱交換器２６においては、熱交換性能の高い部分に多くの着霜が発生するところから、当該部分における着霜を機械的に除去することにより、当該部分の熱交換性能を容易に復活させることができるようにしている。【選択図】        図１
2009264626.tif 000002
【特許請求の範囲】
【請求項１】
平面部（２６ａ），（２６ｂ）と湾曲部（２６ｃ）とを有するクロスフィンコイルタイプの熱交換器（２６）に付着する霜を機械的に除去する熱交換器の除霜装置であって、前記熱交換器（２６）における熱交換性能の高い部分に対応して配置され、前記熱交換器（２６）を構成するフィン（１），（１）・・の間に差し込まれて該フィン（１），（１）・・間の霜を掻き落とすブラシ（３）と、該ブラシ（３）を前記フィン（１），（１）・・間の隙間に沿って移動させる移動手段（４）とによって構成したことを特徴とする熱交換器の除霜装置。
【請求項２】
前記ブラシ（３）を、回転軸（３ａ）により回転させるように構成したことを特徴とする請求項１記載の熱交換器の除霜装置。
【請求項３】
前記ブラシ（３）を、前記熱交換器（２６）における平面部（２６ａ），（２６ｂ）のうち最も有効長の長い部分のみに対応させて配置したことを特徴とする請求項１および２のいずれか一項記載の熱交換器の除霜装置。
【請求項４】
前記ブラシ（３）を、前記熱交換器（２６）における平面部（２６ａ），（２６ｂ）のみに対応させて配置したことを特徴とする請求項１および２のいずれか一項記載の熱交換器の除霜装置。
【請求項５】
前記熱交換器（２６）における湾曲部（２６ｃ）に対応させて前記移動手段（４）を配置したことを特徴とする請求項１、２、３および４のいずれか一項記載の熱交換器の除霜装置。
【請求項６】
前記熱交換器（２６）の湾曲部（２６ｃ）におけるフィン（１），（１）・・の間に差し込まれて該フィン（１），（１）・・間の霜を掻き落とす湾曲部用ブラシ（８）と、該湾曲部用ブラシ（８）を前記フィン（１），（１）・・間の隙間に沿って移動させる駆動手段（４）とによって構成した湾曲部用除霜手段（Ｙ）を付設したことを特徴とする請求項１、２、３、４および５のいずれか一項記載の熱交換器の除霜装置。
【発明の詳細な説明】
【技術分野】
【０００１】
本願発明は、熱交換器の除霜装置に関し、さらに詳しくは平面部と湾曲部とを有するクロスフィンコイルタイプの熱交換器に付着する霜を除去する熱交換器の除霜装置に関するものである。
【背景技術】
【０００２】
一般的な空気調和機用室外機は、図８に示すように、平面視矩形形状のケーシング２１内を仕切壁２２により機械室２３と熱交換室２４とに区画し、前記機械室２３内には、圧縮機３０等が配設される一方、前記熱交換室２４内には、前記ケーシング２１における背面側および側面側に形成された空気吸込口２５に沿うＬ字型の熱交換器２６と前記ケーシング２１の前面側に形成された空気吹出口２７に対向するファン２８とが配設されている。前記熱交換器２６は、二つの平面部２６ａ，２６ｂと両平面部２６ａ，２６ｂを連結する湾曲部２６ｃとからなっている。図８において符号２９はファン２８の駆動源となるファンモータである。
【０００３】
上記構成の空気調和機用室外機に用いられている熱交換器の場合、冬季暖房運転時には蒸発器として機能するが、外気温度が低い環境にあると、熱交換器に霜が付着して、熱交換効率を大きく低下させてしまう場合がある。
【０００４】
上記熱交換器としては、所定の間隙を有して並設される多数のフィンと該フィンを貫通する伝熱管とによって構成したクロスフィンコイルタイプの熱交換器が採用されているが、このような構成の熱交換器が蒸発器として運転された場合、外気温度が低いと、フィン表面に着霜が生じ、フィンと空気との伝熱性能を低下させるとともに、その成長に応じてしだいにフィンピッチが狭くなり、通風量を低減させる。通風量の低下は、さらに霜の成長を促進させることとなる。その結果、熱交換効率が低下し、利用側熱交換器（例えば、室内熱交換器）の凝縮効率（例えば、暖房性能）を低下させることとなる。また、着霜を放置しておくと、熱交換量の減少に加えて、蒸発圧力の異常な低下や圧縮機への液戻りを引き起こすおそれがあり、空気調和機の性能低下や故障の原因ともなる。
【０００５】
従来、上記構成の熱交換器に付着した霜を除去する除霜装置としては、ブラシ等を使用して機械的に霜を除去する機械的除霜方式が従来からよく知られている（例えば、特許文献１参照）。
【０００６】
【特許文献１】特開平１１−２０１５９３号公報
【発明の開示】
【発明が解決しようとする課題】
【０００７】
上記特許文献１に開示されている機械的除霜方式の場合、熱交換器の平面部に対しては有効に作用するが、熱交換器の湾曲部に対しては有効に作用することができないという欠陥がある。
【０００８】
本願発明は、上記の点に鑑みてなされたもので、湾曲部を有する熱交換器に対しても有効な除霜装置を提供することを目的としている。
【課題を解決するための手段】
【０００９】
本願発明では、上記課題を解決するための第１の手段として、平面部２６ａ，２６ｂと湾曲部２６ｃとを有するクロスフィンコイルタイプの熱交換器２６に付着する霜を機械的に除去する熱交換器の除霜装置において、前記熱交換器２６における熱交換性能の高い部分に対応して配置され、前記熱交換器２６を構成するフィン１，１・・の間に差し込まれて該フィン１，１・・間の霜を掻き落とすブラシ３と、該ブラシ３を前記フィン１，１・・間の隙間に沿って移動させる移動手段４とによって構成している。
【００１０】
上記のように構成したことにより、平面部２６ａ，２６ｂと湾曲部２６ｃとを有するクロスフィンコイルタイプの熱交換器２６においては、熱交換性能の高い部分に多くの着霜が発生するところから、当該部分における着霜を機械的に除去することにより、当該部分の熱交換性能を容易に復活させることができる。従って、クロスフィンコイルタイプの熱交換器２６における熱交換性能を長期間に亙って良好に維持することができる。しかも、熱交換器２６を構成するフィン１，１・・の間に差し込まれて該フィン１，１・・間の霜を掻き落とすブラシ３と、該ブラシ３を前記フィン１，１・・間の隙間に沿って移動させる移動手段４とを備えた除霜装置によって、着霜の除去が行われるようになっているので、簡単な装置で着霜除去を行うことができる。
【００１１】
本願発明では、さらに、上記課題を解決するための第２の手段として、上記第１の手段を備えた熱交換器の除霜装置において、前記ブラシ３を、回転軸３ａにより回転させるように構成することもでき、そのように構成した場合、ブラシ３をフィン１，１・・間に差し込んだ状態でフィン１，１・・の間隙に沿って移動させるだけで、熱交換器２６に付着した霜を除去できることとなり、除霜をより一層簡単且つ確実に行うことができる。
【００１２】
本願発明では、さらに、上記課題を解決するための第３の手段として、上記第１又は第２の手段を備えた熱交換器の除霜装置において、前記ブラシ３を、前記熱交換器２６における平面部２６ａ，２６ｂのうち最も有効長の長い部分のみに対応させて配置することもでき、そのように構成した場合、熱交換器２６における平面部２６ａ，２６ｂのうち最も有効長の長い部分に付着した霜がブラシ３によって除去されるところから、熱交換器２６における平面部２６ａ，２６ｂのうち最も有効長の長い部分における熱交換性能が容易に復活されることとなり、簡単な装置でクロスフィンコイルタイプの熱交換器２６における熱交換性能を長期間に亙って良好に維持することができる。
【００１３】
本願発明では、さらに、上記課題を解決するための第４の手段として、上記第１又は第２の手段を備えた熱交換器の除霜装置において、前記ブラシ３を、前記熱交換器２６における平面部２６ａ，２６ｂのみに対応させて配置することもでき、そのように構成した場合、熱交換器２６においてブラシ３による着霜の除去が容易な平面部２６ａ，２６ｂに付着した霜がブラシ３によって除去されるところから、簡単な装置でクロスフィンコイルタイプの熱交換器２６における熱交換性能を長期間に亙って良好に維持することができる。
【００１４】
本願発明では、さらに、上記課題を解決するための第５の手段として、上記第１、第２、第３又は第４の手段を備えた熱交換器の除霜装置において、前記熱交換器２６における湾曲部２６ｃに対応させて前記移動手段４を配置することもでき、そのように構成した場合、移動手段４の配設スペースを容易に確保することができる。
【００１５】
本願発明では、さらに、上記課題を解決するための第６の手段として、上記第１、第２、第３、第４又は第５の手段を備えた熱交換器の除霜装置において、前記熱交換器２６の湾曲部２６ｃにおけるフィン１，１・・の間に差し込まれて該フィン１，１・・間の霜を掻き落とす湾曲部用ブラシ８と、該湾曲部用ブラシ８を前記フィン１，１・・間の隙間に沿って移動させる駆動手段４とによって構成した湾曲部用除霜手段Ｙを付設することもでき、そのように構成した場合、クロスフィンコイルタイプの熱交換器２６における湾曲部２６ｃへの着霜を湾曲部用除霜手段Ｙによって除去できることとなり、熱交換器２６における熱交換性能を長期間に亙ってより一層良好に維持することができる。
【発明の効果】
【００１６】
本願発明の第１の手段によれば、平面部２６ａ，２６ｂと湾曲部２６ｃとを有するクロスフィンコイルタイプの熱交換器２６に付着する霜を機械的に除去する熱交換器の除霜装置において、前記熱交換器２６における熱交換性能の高い部分に対応して配置され、前記熱交換器２６を構成するフィン１，１・・の間に差し込まれて該フィン１，１・・間の霜を掻き落とすブラシ３と、該ブラシ３を前記フィン１，１・・間の隙間に沿って移動させる移動手段４とによって構成して、平面部２６ａと湾曲部２６ｃとを有するクロスフィンコイルタイプの熱交換器２６においては、熱交換性能の高い部分に多くの着霜が発生するところから、当該部分における着霜を機械的に除去することにより、当該部分の熱交換性能を容易に復活させることができるようにしているので、クロスフィンコイルタイプの熱交換器２６における熱交換性能を長期間に亙って良好に維持することができるという効果が得られる。しかも、熱交換器２６を構成するフィン１，１・・の間に差し込まれて該フィン１，１・・間の霜を掻き落とすブラシ３と、該ブラシ３を前記フィン１，１・・間の隙間に沿って移動させる移動手段４を備えた除霜装置によって、着霜の除去が行われるようになっているので、簡単な装置で着霜除去を行うことができるという効果も得られる。
【００１７】
本願発明の第２の手段におけるように、上記第１の手段を備えた熱交換器の除霜装置において、前記ブラシ３を、回転軸３ａにより回転させるように構成することもでき、そのように構成した場合、ブラシ３をフィン１，１・・間に差し込んだ状態でフィン１，１・・の間隙に沿って移動させるだけで、熱交換器２６に付着した霜を除去できることとなり、除霜をより一層簡単且つ確実に行うことができる。
【００１８】
本願発明の第３の手段におけるように、上記第１又は第２の手段を備えた熱交換器の除霜装置において、前記ブラシ３を、前記熱交換器２６における平面部２６ａ，２６ｂのうち最も有効長の長い部分のみに対応させて配置することもでき、そのように構成した場合、熱交換器２６における平面部２６ａ，２６ｂのうち最も有効長の長い部分に付着した霜がブラシ３によって除去されるところから、熱交換器２６における平面部２６ａ，２６ｂのうち最も有効長の長い部分における熱交換性能が容易に復活されることとなり、簡単な装置でクロスフィンコイルタイプの熱交換器２６における熱交換性能を長期間に亙って良好に維持することができる。
【００１９】
本願発明の第４の手段におけるように、上記第１又は第２の手段を備えた熱交換器の除霜装置において、前記ブラシ３を、前記熱交換器２６における平面部２６ａ，２６ｂのみに対応させて配置することもでき、そのように構成した場合、熱交換器２６においてブラシ３による着霜の除去が容易な平面部２６ａ，２６ｂに付着した霜がブラシ３によって除去されるところから、簡単な装置でクロスフィンコイルタイプの熱交換器２６における熱交換性能を長期間に亙って良好に維持することができる。
【００２０】
本願発明の第５の手段におけるように、上記第１、第２、第３又は第４の手段を備えた熱交換器の除霜装置において、前記熱交換器２６における湾曲部２６ｃに対応させて前記移動手段４を配置することもでき、そのように構成した場合、移動手段４の配設スペースを容易に確保することができる。
【００２１】
本願発明の第６の手段におけるように、上記第１、第２、第３、第４又は第５の手段を備えた熱交換器の除霜装置において、前記熱交換器２６の湾曲部２６ｃにおけるフィン１，１・・の間に差し込まれて該フィン１，１・・間の霜を掻き落とす湾曲部用ブラシ８と、該湾曲部用ブラシ８を前記フィン１，１・・間の隙間に沿って移動させる駆動手段４とによって構成した湾曲部用除霜手段Ｙを付設することもでき、そのように構成した場合、クロスフィンコイルタイプの熱交換器２６における湾曲部２６ｃへの着霜を湾曲部用除霜手段Ｙによって除去できることとなり、熱交換器２６における熱交換性能を長期間に亙ってより一層良好に維持することができる。
【発明を実施するための最良の形態】
【００２２】
以下、添付の図面を参照して、本願発明の幾つかの好適な実施の形態について説明する。
【００２３】
この除霜装置が適用される熱交換器は、図８に示す空気調和機用室外機に用いられるものである。該空気調和機用室外機は、図８に示すように、平面視矩形形状のケーシング２１内を仕切壁２２により機械室２３と熱交換室２４とに区画し、前記機械室２３内には、圧縮機３０等が配設される一方、前記熱交換室２４内には、前記ケーシング２１における背面側および側面側に形成された空気吸込口２５に沿うＬ字型の熱交換器２６と前記ケーシング２１の前面側に形成された空気吹出口２７に対向するファン２８とが配設されている。前記熱交換器２６は、二つの平面部２６ａ，２６ｂと両平面部２６ａ，２６ｂを連結する湾曲部２６ｃとからなっている。図８において符号２９はファン２８の駆動源となるファンモータである。
【００２４】
上記熱交換器２６は、図１に示すように、所定の間隙を有して並設される多数のフィン１，１・・と該フィン１，１・・を貫通する伝熱管２とによって構成されたクロスフィンコイルタイプの熱交換器とされている。
【００２５】
このような構成の熱交換器２６が蒸発器として運転された場合、外気温度が低いと、フィン１，１・・表面に着霜が生じ、フィン１，１・・と空気との伝熱性能を低下させるとともに、その成長に応じてしだいにフィンピッチが狭くなり、通風量を低減させる。通風量の低下は、さらに霜の成長を促進させることとなる。その結果、熱交換効率が低下し、利用側熱交換器（例えば、室内熱交換器）の凝縮効率（例えば、暖房性能）を低下させることとなる。また、着霜を放置しておくと、熱交換量の減少に加えて、蒸発圧力の異常な低下や圧縮機への液戻りを引き起こすおそれがあり、空気調和機の性能低下や故障の原因ともなる。
【００２６】
そこで、熱交換器２６に付着した霜を除去する除霜装置が必要となる。本願発明は、この除霜装置に関するものである。
【００２７】
第１の実施の形態
図１ないし図３には、本願発明の第１の実施の形態にかかる熱交換器の除霜装置が示されている。
【００２８】
この除霜装置Ｘは、図１および図２に示すように、上記したクロスフィンコイルタイプの熱交換器２６における平面部２６ａ，２６ｂのうち最も有効長の長い部分（即ち、ファン２８の吸込側に対向した平面部２６ａ）のみに対応させて配置されている。換言すれば、クロスフィンコイルタイプの熱交換器２６において、熱交換性能の高い部分に対応して配置されている。そして、この除霜装置Ｘは、前記熱交換器２６を構成するフィン１，１・・の間に差し込まれて該フィン１，１・・間の霜を掻き落とすブラシ３と、該ブラシ３を前記フィン１，１・・間の隙間に沿って移動させる移動手段４とによって構成されている。この場合、前記ブラシ３は、図３に示すように、回転軸３ａの回りに多数の毛５，５・・を植毛して構成された回転ブラシとされている。図１および図２において、符号６は前記回転軸３ａを回転駆動させる駆動源となるモータである。
【００２９】
上記のように構成したことにより、平面部２６ａ，２６ｂと湾曲部２６ｃとを有するクロスフィンコイルタイプの熱交換器２６においては、平面部２６ａ，２６ｂのうち最も有効長の長い部分（即ち、熱交換性能の高い部分）に多くの着霜が発生するところから、当該部分（即ち、矢印Ａで示す部分）における着霜を機械的に除去することにより、当該部分（即ち、平面部２６ａ，２６ｂのうち最も有効長の長い部分）の熱交換性能を容易に復活させることができる。従って、クロスフィンコイルタイプの熱交換器２６における熱交換性能を長期間に亙って良好に維持することができるのである。なお、熱交換器２６におけるもう一方（即ち、有効長の短い方の平面部２６ｂ）への着霜は少ないところから、当該部分の霜を除去しなくとも、熱交換器２６の全体としての熱交換性能に対する影響は少ないと考えられる。しかも、熱交換器２６を構成するフィン１，１・・の間に差し込まれて該フィン１，１・・間の霜を掻き落とすブラシ３と、該ブラシ３を前記フィン１，１・・間の隙間に沿って移動させる移動手段４を備えた除霜装置Ｘによって、着霜の除去が行われることとなり、簡単な装置で着霜除去を行うことができる。また、前記ブラシ３を、回転軸３ａにより回転させるように構成しているので、ブラシ３をフィン１，１・・間に差し込んだ状態で回転させつつ、フィン１，１・・の間隙に沿って移動させるだけで、熱交換器２６に付着した霜を除去できることとなり、除霜をより一層簡単且つ確実に行うことができる。なお、除霜装置Ｘを構成するブラシ３は、図４に示すように、支持部材７に多数の毛５，５・・を植毛して構成された歯ブラシ状のものとすることもできる。この場合、回転ブラシタイプより除霜効果が劣るおそれがある。
【００３０】
第２の実施の形態
図５には、本願発明の第２の実施の形態にかかる熱交換器の除霜装置が示されている。
【００３１】
この場合、ブラシ３は、クロスフィンコイルタイプの熱交換器２６における平面部２６ａ，２６ｂのみに対応させて配置されている。この場合にも、ブラシ３は、図３に示すように、回転軸３ａの回りに多数の毛５，５・・を植毛して構成された回転ブラシとされており、これらのブラシ３，３を回転させる回転軸３ａ，３ａには、駆動源となるモータ６，６が設けられている。そして、熱交換器２６における湾曲部２６ｃに対応させて二つのブラシ３，３を移動させる移動手段４が配置されている。このようにすると、熱交換器２６における平面部２６ａ，２６ｂ（即ち、矢印Ａ，Ｂで示す部分）のみに付着した霜がブラシ３，３によって除去されるところから、ブラシ３による着霜の除去が容易な平面部２６ａ，２６ｂにおける着霜が簡単に除去できることとなり、簡単な装置でクロスフィンコイルタイプの熱交換器２６における熱交換性能を長期間に亙って良好に維持することができる。しかも、二つのブラシ３，３を移動させるための移動手段４の配設スペースを容易に確保することができる。なお、除霜装置Ｘを構成するブラシ３は、図４に示すように、支持部材７に多数の毛５，５・・を植毛して構成された歯ブラシ状のものとすることもできる。この場合、回転ブラシタイプより除霜効果が劣るおそれがある。その他の構成および作用効果は、第１の実施の形態におけると同様なので説明を省略する。
【００３２】
第３の実施の形態
図６には、本願発明の第３の実施の形態にかかる熱交換器の除霜装置が示されている。
【００３３】
この場合、ブラシ３は、クロスフィンコイルタイプの熱交換器２６における平面部２６ａ，２６ｂのみに対応させて配置されている。この場合にも、ブラシ３は、図３に示すように、回転軸３ａの回りに多数の毛５，５・・を植毛して構成された回転ブラシとされているが、駆動源であるモータ６は、両ブラシ３，３に共用とされており、フレキシブルジョイント又はギヤボックスが用いられている。また、この場合にも、熱交換器２６における湾曲部２６ｃに対応させて二つのブラシ３，３を移動させる移動手段４が配置されている。このようにすると、熱交換器２６における平面部２６ａ，２６ｂ（即ち、矢印Ａ，Ｂで示す部分）のみに付着した霜がブラシ３，３によって除去されるところから、ブラシ３による着霜の除去が容易な平面部２６ａ，２６ｂにおける着霜が簡単に除去できることとなり、簡単な装置でクロスフィンコイルタイプの熱交換器２６における熱交換性能を長期間に亙って良好に維持することができる。しかも、二つのブラシ３，３を移動させるための移動手段４の配設スペースを容易に確保することができる。なお、除霜装置Ｘを構成するブラシ３は、図４に示すように、支持部材７に多数の毛５，５・・を植毛して構成された歯ブラシ状のものとすることもできる。この場合、回転ブラシタイプより除霜効果が劣るおそれがある。その他の構成および作用効果は、第１の実施の形態におけると同様なので説明を省略する。
【００３４】
第４の実施の形態
図７には、本願発明の第４の実施の形態にかかる熱交換器の除霜装置が示されている。
【００３５】
この場合、ブラシ３は、クロスフィンコイルタイプの熱交換器２６における平面部２６ａ，２６ｂのみに対応させて配置されている。この場合にも、ブラシ３は、図３に示すように、回転軸３ａの回りに多数の毛５，５・・を植毛して構成された回転ブラシとされているが、駆動源であるモータ６は、両ブラシ３，３に共用とされており、フレキシブルジョイント又はギヤボックスが用いられている。また、この場合にも、熱交換器２６における湾曲部２６ｃに対応させて二つのブラシ３，３を移動させる移動手段４が配置されている。また、この場合、熱交換器２６の湾曲部２６ｃにおけるフィン１，１・・の間に差し込まれて該フィン１，１・・間の霜を掻き落とす湾曲部用ブラシ８と、該湾曲部用ブラシ８を前記フィン１，１・・間の隙間に沿って移動させる移動手段４とによって構成した湾曲部用除霜手段Ｙが付設されているが、この場合、湾曲部用除霜手段Ｙは、前記ブラシ３，３と連結された状態とされており、移動手段４は、ブラシ３，３を移動させる移動手段と共用されている。この場合、前記湾曲部用ブラシ８としては、図４に示すように、支持部材７に多数の毛５，５・・を植毛して構成された歯ブラシ状のものが用いられる。このようにすると、熱交換器２６における平面部２６ａ，２６ｂ（即ち、矢印Ａ，Ｂで示す部分）に付着した霜がブラシ３，３によって除去されるとともに、湾曲部２６ｃに付着した霜が湾曲部用除霜手段Ｙによって除去されることとなるところから、簡単な装置でクロスフィンコイルタイプの熱交換器２６における熱交換性能を長期間に亙って良好に維持することができる。しかも、二つのブラシ３，３および湾曲部ブラシ８を移動させるための移動手段４の配設スペースを容易に確保することができる。なお、除霜装置Ｘを構成するブラシ３は、図４に示すように、支持部材７に多数の毛５，５・・を植毛して構成された歯ブラシ状のものとすることもできる。この場合、回転ブラシタイプより除霜効果が劣るおそれがある。その他の構成および作用効果は、第１の実施の形態におけると同様なので説明を省略する。
【００３６】
本願発明は、上記各実施の形態に限定されるものではなく、発明の要旨を逸脱しない範囲において適宜設計変更可能なことは勿論である。
【図面の簡単な説明】
【００３７】
【図１】本願発明の第１の実施の形態にかかる熱交換器の除霜装置を示す斜視図である。
【図２】本願発明の第１の実施の形態にかかる熱交換器の除霜装置を示す平面図である。
【図３】本願発明の第１の実施の形態にかかる熱交換器の除霜装置における回転ブラシの要部拡大斜視図である。
【図４】本願発明の第１の実施の形態にかかる熱交換器の除霜装置におけるブラシの他の例を示す要部拡大斜視図である。
【図５】本願発明の第２の実施の形態にかかる熱交換器の除霜装置を示す平面図である。
【図６】本願発明の第３の実施の形態にかかる熱交換器の除霜装置を示す平面図である。
【図７】本願発明の第４の実施の形態にかかる熱交換器の除霜装置を示す平面図である。
【図８】一般的な空気調和機用室外機の横断平面図である。
【符号の説明】
【００３８】
１はフィン
２は伝熱管
３はブラシ
３ａは回転軸
４は移動手段
５は毛
６はモータ
７は支持部材
８は湾曲部用ブラシ
２６は熱交換器
２６ａ，２６ｂは平面部
２６ｃは湾曲部
Ｘは除霜装置
Ｙは湾曲部用除霜手段
【図１】
2009264626.tif 000003
【図２】
2009264626.tif 000004
【図３】
2009264626.tif 000005
【図４】
2009264626.tif 000006
【図５】
2009264626.tif 000007
【図６】
2009264626.tif 000008
【図７】
2009264626.tif 000009
【図８】
2009264626.tif 000010